(57)【特許請求の範囲】
【請求項１】
便器外郭の後端部に背もたれが立設されると共に、便器外郭の側端部に高さ調節可能な肘掛けが立設され、前記背もたれに、前記肘掛けを前後方向及び左右方向の移動を規制するガイド部が形成され、前記ガイド部が、前記背もたれから突出したレール部で構成され、前記肘掛けに水平断面形状が前記レール部と略一致して前記レール部に上下方向にスライド可能に嵌まり込むスライド溝部が形成され、前記レール部は、前記肘掛けを前後方向及び左右方向の移動が規制されるように形成されたことを特徴とする可搬便器。
【請求項２】
前記ガイド部が、前記背もたれの側端面から外側方に向けて突出した後に後方に向けて突出した水平断面略Ｌ字状のレール部で構成され、前記肘掛けの後端部に前記スライド溝部が形成されたことを特徴とする請求項１に記載の可搬便器。
【発明の詳細な説明】
【技術分野】
【０００１】
本発明は高さ調節可能な肘掛けを備えた可搬便器に関する。
【背景技術】
【０００２】
従来から、老人、身体障害者、病人等が利用する介護用の便器として、設置位置を容易に変更できる可搬便器が利用されている。
【０００３】
特許文献１の可搬便器は、便器外郭の側端部に上下方向にスライド可能な肘掛けが立設され、肘掛けの高さを利用者の体型等に合わせて変更できるようになっている。
【０００４】
ところで、前記便器外郭の後端部には背もたれが立設され、前記肘掛けの後方に背もたれの側端部が位置しており、肘掛けとこの後方の背もたれとの間に衣服や手指が入り込んで挟まれる恐れがある。ここで、特許文献１では、背もたれと肘掛けの間隔を手指が入り込まない寸法にすることで、これを防止している。しかし、前記背もたれや肘掛けに利用者の荷重が加わった場合には、背もたれや肘掛けが一時的に撓んで、背もたれと肘掛けの間に大きな隙間が形成され、この隙間に衣服や手指が入り込んで挟まれる恐れがある。
【先行技術文献】
【特許文献】
【０００５】
【特許文献１】特開２００４−９７３４８号公報
【発明の概要】
【発明が解決しようとする課題】
【０００６】
本発明は前記事情に鑑みてなされたものであって、背もたれや肘掛けが一時的に撓んで、背もたれと肘掛けの間に衣服や手指等が挟まれることを防止できる可搬便器を提供することを課題とする。
【課題を解決するための手段】
【０００７】
前記課題を解決するために本発明の可搬便器は、便器外郭の後端部に背もたれが立設されると共に、便器外郭の側端部に高さ調節可能な肘掛けが立設され、前記背もたれに、前記肘掛けを前後方向及び左右方向の移動を規制するガイド部が形成され、前記ガイド部が、前記背もたれから突出したレール部で構成され、前記肘掛けに水平断面形状が前記レール部と略一致して前記レール部に上下方向にスライド可能に嵌まり込むスライド溝部が形成され、前記レール部は、前記肘掛けを前後方向及び左右方向の移動が規制されるように形成されたことを特徴とする。
【０００８】
また、前記ガイド部が、前記背もたれの側端面から外側方に向けて突出した後に後方に向けて突出した水平断面略Ｌ字状のレール部で構成され、前記肘掛けの後端部に前記スライド溝部が形成されることが好ましい。
【発明の効果】
【０００９】
本発明にあっては、背もたれや肘掛けが一時的に撓んで、背もたれと肘掛けの間に衣服や手指が挟まれることを防止できる。
【図面の簡単な説明】
【００１０】
【図１】本実施形態の背もたれと肘掛けの連結部分を示す平面図である。
【図２】便蓋を起立位置に配置した際の可搬便器の斜視図である。
【図３】便器外郭の斜視図である。
【図４】可搬便器の側面断面図である。
【図５】図２において便座の図示を省略した斜視図である。
【図６】台座の斜視図である。
【図７】可搬便器の一部破断した斜視図である。
【図８】便蓋を閉じ位置に配置した可搬便器の側面断面図である。
【図９】便蓋を起立位置に配置した可搬便器の後方からの斜視図である。
【図１０】肘掛設置体部分の一部断面斜視図である。
【図１１】肘掛けの斜視図である。
【発明を実施するための形態】
【００１１】
以下、本発明を添付図面に基づいて説明する。図２に示されるように、本実施形態の可搬便器１は、床上に配置される台座２と、台座２単独で支持される便器外郭３と、便器外郭３の後端部に左右軸回りに回動自在に連結される、便座４及び便蓋５と、便器外郭３の内側に設けられる汚物受け６を備えている。なお、前記「左右軸回り」とは、回転軸方向が左右方向と平行であることを意味する。
【００１２】
可搬便器１は、便器外郭３の後端部上に立設される背もたれ７と、便器外郭３の左右両側端部に立設される高さ調節可能な肘掛け８を備えた、椅子型の便器となっている。また、可搬便器１は、トイレットロール９を支持するためのペーパーホルダー１０もしくはペーパーハンガー１１を備えており、これらペーパーホルダー１０もしくはペーパーハンガー１１は便器外郭３に着脱自在に取り付けられている。
【００１３】
便器外郭３は台座２によって高さ調節自在に支持されている。図３に示されるように、便器外郭３の上面の左右方向中央部には下方に凹没した凹没部１６が形成されている。また、便器外郭３の上面部中央には凹没部１６の底部中央を上下に貫通する上開口１７が形成されている。
【００１４】
汚物受け６は、上開口１７を介して、図４に示されるように便器外郭３内に収納されている。汚物受け６は、屎尿を受ける便容器１９と、便容器１９が収納される防汚容器２０とで構成された二重容器からなる。図４中２１は用便後における便容器１９の上開口を閉塞する容器蓋であり、容器蓋２１は用便時に便容器１９から取り外される。なお、取り外した容器蓋２１は、図４に二点鎖線で示すように台座２上に起立させることができる。
【００１５】
図５に示されるように防汚容器２０の上縁部には外方に突出した防汚容器被載置部２２が周方向の全長に亘って形成されている。防汚容器２０は上開口１７を介して便器外郭３内に出し入れ可能に挿入されている。
【００１６】
防汚容器２０は、防汚容器被載置部２２を便器外郭３の上開口１７の周縁部を含む凹没部１６の底部上に載置することで懸架されている。
【００１７】
便容器１９の上縁部には、外方に突出した便容器被載置部２４が周方向の全長に亘って形成されている。便容器１９は防汚容器２０内に上方から出し入れ可能に挿入され、便容器被載置部２４を防汚容器２０の便容器載置部２３の内周部上に載置することで、防汚容器２０に懸架されている。
【００１８】
台座２は、便器外郭３を高さ調節自在に支持するものである。図６に示されるように、台座２の後端部には複数のキャスター３０が設けられ、このキャスター３０を利用して可搬便器１を床上で走行することができる。
【００１９】
図７に示されるように、便器外郭３は、凹没部１６の底面部の後端部上に設けられた連結体４４を有している。連結体４４には便座４及び便蓋５が回動自在に取り付けられている。連結体４４は便器外郭３に着脱自在に取り付けられ、便座４及び便蓋５を取り付けた状態で便器外郭３から取り外せるようになっている。
【００２０】
次に便座４について説明する。なお、以下の便座４の説明では、特に記載する場合を除き、図２のように便座４を便器外郭３上の使用位置に配置した際における方向を基準にして説明する。
【００２１】
便座４は、平面視環状で中央に便座開口４５が形成された座部４８と、座部４８から後方に突出した便座被連結部４６を有している。便座被連結部４６は、連結体４４の前部に形成された便座連結部４７（図７参照）に左右軸回りに回動自在に連結されている。便座４は、図２のように前方に倒して防汚容器２０の防汚容器被載置部２２（図５参照）に載置した使用位置から、便器外郭３の後端部上に起立させた非使用位置までの範囲で回動できるようになっている。前記使用位置に配置された便座４は、前記防汚容器２０の防汚容器被載置部２２の外周部上に載置され、便容器１９の便容器被載置部２４上に配置される。なお、使用位置の便座４は便器外郭３に載置されるものであってもよい。また、非使用位置における便座４は、背もたれ７又は便器外郭３のいずれかで支持される。
【００２２】
次に前記使用位置に配置された便座４を上側から覆う便蓋５について説明する。なお、以下の便蓋５の説明では、特に記載する場合を除き、図８のように便蓋５を便器外郭３上の閉じ位置に配置した際における方向を基準にして説明する。
【００２３】
便蓋５は、便器外郭３の後端部に左右軸回りに回動自在に連結される後蓋３６と、後蓋３６の前端部に左右軸回りに回動自在に連結される前蓋３７とで構成されている。便蓋５は、前蓋３７を後蓋３６に対して回動することで、図８に示されるように前蓋３７及び後蓋３６の夫々の下面が略同一方向を向く展開状態と、図２等に示されるように前蓋３７及び後蓋３６の下面同士が対向する折り畳み状態とに変形可能となっている。
【００２４】
図９に示されるように後蓋３６には後方に突出する便蓋被連結部３８が形成されている。便蓋被連結部３８は、連結体４４の後部に形成された便蓋連結部３９に左右軸回りに回動自在に連結されている。これにより便蓋５は、図８に示すように便器外郭３上に横に倒して配置された閉じ位置から、図２に示す起立位置を経てさらに後方に倒した図７に示す退避位置までの範囲で回動できるようになっている。なお、退避位置に配置された便蓋５は、図７に示されるように連結体４４によって後蓋３６の後端部が支持され、これ以上下方に回動しないよう支持される。
【００２５】
また、後蓋３６の前端部の中央には、便蓋５の折り畳み状態において、折曲側端部から便蓋５の枢支部分となる連結体４４と反対側に向けて突出する被掛止部４３が形成されている。
【００２６】
図２に示されるように、背もたれ７は、便器外郭３の後端部の両側端部から夫々立設された背もたれ枠５６と、両背もたれ枠５６の上端部間に架け渡された背当て５７で構成されている。背もたれ７の下部には、背当て５７と両背もたれ枠５６と、便器外郭３とで囲まれた前後に貫通する背もたれ開口５８が形成されている。背もたれ開口５８は、折り畳み状態の便蓋５よりもやや大きく形成され、折り畳み状態とした便蓋５が背もたれ開口５８を介して背もたれ７を通過できるようになっている。
【００２７】
図９に示されるように、背もたれ開口５８の上縁部を構成する背当て５７の下端部には、下方に向けて突出した掛止部５９が形成されている。掛止部５９は、背当て５７の左右方向の中央部に位置し、その下部は折り畳み状態とした便蓋５が背もたれ開口５８を通る際において被掛止部４３が通過する位置に配されている。掛止部５９の下部には、前記折り畳み状態で起立位置にある便蓋５から突出した被掛止部４３を前側から掛止することができ、これにより便蓋５を閉じ位置から略９０度回動させた起立位置に保持することができる。
【００２８】
掛止部５９は薄板状に形成され、その下部を前後方向に撓ませて通過許容形状に弾性変形できるようになっている。すなわち、前記折り畳み状態で起立位置にある便蓋５の被掛止部４３を掛止部５９に掛止した状態で、便蓋５を便蓋連結部３９を中心に後方に回動させれば、掛止部５９は下部が被掛止部４３により押圧されて後方に撓む。これにより、被掛止部４３を掛止部５９後方に通過させることができ、便蓋５を前記起立位置から更に略９０度後方に倒した退避位置に移動できる。
【００２９】
また、退避位置にある便蓋５を起立位置や閉じ位置に移動する際等にも、前記掛止部５９を被掛止部４３により弾性変形させることで、便蓋５を背もたれ開口５８を介して背もたれ７を通過させることができる。すなわち、便蓋５を背もたれ７の後方から前方に通過させる際には、便蓋５を折り畳み状態としてやや強い力で前方に回動させる。これにより掛止部５９は下部が被掛止部４３に押圧されて前方に撓み、被掛止部４３が掛止部５９前方に通過し、便蓋５は背もたれ７の後方から前方に通過する。
【００３０】
図２のように便器外郭３の上面の左右両側端部上には肘掛設置体６０が取り付けられ、各肘掛設置体６０には肘掛け８が立設されている。なお、便器外郭３の上面において両肘掛設置体６０の間の部分が前記防汚容器２０が懸架される凹没部１６となっており、閉じ位置に配置された便蓋５の上面は、各肘掛設置体６０の外郭を構成するケース６８の上面部と略面一になる。
【００３１】
各肘掛け８は、肘を載せる肘載部６２の前後から下方に向けて柱部６３を突出したものである。各肘掛け８の前後の柱部６３は対応する肘掛設置体６０に上下位置調節可能に取り付けられ、これにより肘掛け８は高さ調節自在となっている。以下、肘掛け８の高さ調節機構について説明する。
【００３２】
各肘掛設置体６０のケース６８の上面部の前後二箇所には、上下両方向に突出したガイド筒部６１が形成されている。各ガイド筒部６１の内側には上方から対応する肘掛け８の柱部６３が上下方向にスライド自在に挿入されている。図１１に示されるように、各肘掛け８の前側の柱部６３の後面及び後側の柱部６３の前面には、ストッパー嵌込溝７２が上下に等間隔で複数形成されており、これらストッパー嵌込溝７２は柱部６３においてガイド筒部６１に挿入される下部に設けられている。
【００３３】
各ガイド筒部６１のケース６８の上面部からケース６８内の下方に向けて突出する下突出部６４には、図１０に示されるように通孔６５が形成されている。前側のガイド筒部６１が有する通孔６５は下突出部６４の後端部に位置し、後側のガイド筒部６１が有する通孔６５は下突出部６４の前端部に位置している。
【００３４】
各肘掛設置体６０のケース６８内の前後には、対応するガイド筒部６１の下突出部６４に対向するスライダー６６が前後方向にスライド自在に内装されている。前側のスライダー６６は前側のガイド筒部６１の下突出部６４の後方に配置され、後側のスライダー６６は後側のガイド筒部６１の下突出部６４の前方に配置されている。また、各肘掛設置体６０のケース６８には、各スライダー６６を対応するガイド筒部６１側に付勢するばね７１が内装されている。
【００３５】
各スライダー６６には対応するガイド筒部６１側に向けて突出したストッパー部６７が形成され、各ストッパー部６７は対応するガイド筒部６１の通孔６５に挿入されている。
【００３６】
各スライダー６６は、ばね７１の付勢力以外の外力が加わっていない状態では、図１０の紙面左側に示されるようにばね７１により対応するガイド筒部６１に押し付けられる。この際、各ストッパー部６７の先端部は対応する肘掛け８のストッパー嵌込溝７２に嵌め込まれ、肘掛け８の柱部６３の上下方向の移動規制がなされる。また、図１０の紙面右側に示されるように各スライダー６６がばね７１に抗して対応するガイド筒部６１と反対側に移動すると、前記ストッパー部６７がストッパー嵌込溝７２から抜け出し、前記柱部６３の上下方向の移動規制が解除される。
【００３７】
各スライダー６６にはケース６８の外側面部に形成された操作用孔６９を介して可搬便器１の外側に臨む操作部７０が形成されている。前後のスライダー６６の操作部７０はケース６８の外側から前後の操作用孔６９に挿入した指で摘むことができ、これによって前後のスライダー６６を互いに近づく方向に移動することができる。
【００３８】
各肘掛け８の高さ調節を行うには、まず前述のように前後のスライダー６６の操作部７０を操作して、前後のスライダー６６をばね７１に抗って近づけ、前後の柱部６３の上下方向の移動規制を解除した状態とする。続いて、肘掛け８が所望の高さとなるよう、前後のガイド筒部６１に挿入された柱部６３を上下に移動し、前記指による前後のスライダー６６を近づける力を解除する。すると、前後のスライダー６６はばね７１の付勢力によって対応するガイド筒部６１側に移動し、前後のスライダー６６のストッパー部６７が対応する肘掛け８のストッパー嵌込溝７２に嵌め込まれ、肘掛け８の柱部６３の上下方向の移動が規制される。このようにして、各肘掛け８の高さ調節は行われる。
【００３９】
ここで、図１に示されるように、背もたれ７の側端部には、対応する肘掛け８の後端部を前後方向及び左右方向の移動を規制しつつ上下方向にスライド自在に支持するガイド部７３が形成されている。なお、本実施形態では、前記ガイド部７３が背もたれ７の左右両側に設けられている。
【００４０】
各ガイド部７３は、背もたれ７の側端面を構成する背もたれ枠５６から突出した上下方向に伸びるレール部７４で構成されている。各レール部７４は、背もたれ枠５６の外側面
から外側方に向けて突出した後に後方に向けて突出して水平断面略Ｌ字状に形成されており、背もたれ枠５６と一体に形成されている。
【００４１】
一方、各肘掛け８の後側の柱部６３よりも後方に突出した肘載部６２の後端部には、上下に貫通するスライド溝部７５が形成されている。各スライド溝部７５は水平断面形状がレール部７４と略一致し、肘載部６２の背もたれ７側の側面から外側方に伸びた後に後方に伸びて水平断面略Ｌ字状に形成されている。各スライド溝部７５には対応するレール部７４が上下方向にスライド自在に挿入されている。従って、肘掛け８の高さ調節をするにあたって、前後の柱部６３をガイド筒部６１に沿って上下にスライドする際には、肘掛け８のスライド溝部７５を背もたれ７のレール部７４に沿って前後方向及び左右方向の移動を規制しつつ上下方向にスライドさせることができる。
【００４２】
以上説明した本実施形態の可搬便器１は、背もたれ７の側端部に、高さ調節可能な肘掛け８の後端部を前後方向及び左右方向の移動を規制しつつ上下方向にスライド自在に支持するガイド部７３が形成されている。このため、背もたれ７や肘掛け８に利用者の荷重が加わった場合に、ガイド部７３により肘掛け８の後端部が前後方向及び左右方向に移動することを規制し、背もたれ７の側端部と肘掛け８の後端部の間に手指や衣服等が入り込む隙間が形成されることを防止できる。よって、背もたれ７と肘掛け８の間に手指や衣服等が入り込んで挟まれたりすることを防止できる。
【００４３】
また、本実施形態では、ガイド部７３が、背もたれ７の側端面から外側方に向けて突出した後に後方に向けて突出する水平断面略Ｌ字状のレール部７４で構成されている。また、肘掛け８の後端部に水平断面形状がレール部７４と略一致してレール部７４に上下方向にスライド自在に嵌まり込むスライド溝部７５が形成されている。このようにすることで、高さ調節可能な肘掛け８の後端部を前後方向及び左右方向の移動を規制しつつ上下方向にスライド自在に支持するガイド部７３を簡単に形成することができる。また、背もたれ７に対して利用者から後向きの荷重が加わった際、レール部７４はスライド溝部７５の後側に押し付けられる。この場合、レール部７４は、その後方に向けて突出する先端部７６がスライド溝部７５の溝奥側の端部７７から前方に抜け出難くなる。このため、背もたれ７に対して利用者から後向きの荷重が加わった際に、レール部７４がスライド溝部７５から外れることを防止できる。なお、ガイド部７３の形状は上記に限定されるものではなく、肘掛け８を前後方向及び左右方向の移動を規制しつつ上下方向にスライドさせることができる形状であればよい。例えばガイド部７３を横向きＴ字状のレール部で構成すること等が考えられる。
【符号の説明】
【００４４】
１  可搬便器
３  便器外郭
７  背もたれ
８  肘掛け
７３  ガイド部
７４  レール部
７５  スライド溝部
【図１】
0005537450.tif 000002
【図２】
0005537450.tif 000003
【図３】
0005537450.tif 000004
【図４】
0005537450.tif 000005
【図５】
0005537450.tif 000006
【図６】
0005537450.tif 000007
【図７】
0005537450.tif 000008
【図８】
0005537450.tif 000009
【図９】
0005537450.tif 000010
【図１０】
0005537450.tif 000011
【図１１】
0005537450.tif 000012